【手続補正書】
【提出日】平成15年12月5日(2003.12.5)
【手続補正１】
【補正対象書類名】明細書
【補正対象項目名】特許請求の範囲
【補正方法】変更
【補正の内容】
【特許請求の範囲】
【請求項１】
カメラで撮影した映像を映像記録装置に記録する映像記録システムにおいて、
前記カメラで撮影した映像信号の記録動機を検出するセンサと、
前記カメラが撮影した映像信号の記録を指示する第１の指示信号とカメラが撮影した映像信号のうち前記センサが検出した記録動機に対応する時間帯における映像信号の記録を指示する第２の指示信号を出力する記録制御手段と、
前記第１の指示信号にしたがって前記カメラが撮影した映像信号をディジタル化して記憶するハードディスク記憶装置と、
前記第２の指示信号によって指示された時間帯の映像データに対し検索情報を付加する検索情報付加手段と、
前記第２の指示信号にしたがって前記ハードディスク記憶装置に記憶された映像データのうち前記センサが検出した記録動機に対応する時間帯の映像データを前記検索情報付加手段で付加された検索情報と関わり合わせて記録する映像記録装置と
を備えることを特徴とする映像記録システム。
【請求項２】
前記記録制御手段は、
前記センサが検出した記録動機に対応する時間帯の前後を含む任意の記録時間帯を設定する手段
を備えることを特徴とする請求項１に記載の映像記録システム。
【請求項３】
前記検索情報付加手段は、
前記検索情報として前記記録制御手段の第２の指示信号によって指示された時間帯の映像データに対してタイトルを付加する
ことを特徴とする請求項１または２に記載の映像記録システム。
【請求項４】
前記記録制御手段の第２の指示信号によって指示された時間帯における映像データのフレーム間隔を任意に設定するフレーム間隔設定手段
をさらに備えることを特徴とする請求項１〜３のいずれかに記載の映像記録システム。
【請求項５】
カメラで撮影した映像を映像記録装置に記録する映像記録システムにおいて、
それぞれ異なる記録動機を検出する複数のセンサと、
前記カメラが撮影した映像信号の記録を指示する第１の指示信号と前記カメラが撮影した映像信号のうち前記複数のセンサがそれぞれ検出した記録動機に対応する時間帯の映像信号の記録を指示する第２の指示信号を出力する記録制御手段と、
この記録制御手段の前記第１の指示信号に従い、指示された時間帯の映像信号をディジタル化して記憶するハードディスク記憶装置と、
前記第２の指示信号によって指示された時間帯の映像データに対し検索情報を付加する検索情報付加手段と、
このハードディスク記憶装置に記録された映像データのうち前記第２の指示信号で指示された時間帯の映像データを前記複数のセンサに割当てられた優先度に対応した映像記録装置に分配する分配手段と、
前記分配手段で分配された映像データを前記検索情報付加手段で付加された検索情報と関わり合わせて記録する複数の映像記録装置と
を備えることを特徴とする映像記録システム。
【請求項６】
前記複数の映像記録装置の録画速度を複数のセンサに割当てられた優先度に対応して制御する手段
をさらに備えることを特徴とする請求項５に記載の映像記録システム。
【請求項７】
前記記録制御手段は、
前記センサが検出した記録動機に対応する時間帯の前後を含む任意の記録時間帯を、各センサに割当てられた優先度に対応して設定する手段
を備えることを特徴とする請求項５または６に記載の映像記録システム。
【請求項８】
前記検索情報付加手段は、
前記検索情報として前記記録制御手段の第２の指示信号によって指示された時間帯の映像データに対してタイトルを付加する
ことを特徴とする請求項５〜７のいずれかに記載の映像記録システム。
【請求項９】
カメラで撮影した映像を映像記録装置に記録する映像記録システムにおいて、
撮影範囲が一部重複または重複しない複数のカメラと、
これら複数のカメラの撮影範囲を高速旋回して撮影する旋回カメラと、
前記複数のカメラが撮影した映像信号の記録動機を検出する複数のセンサと、
前記複数のカメラが撮影した映像信号からマルチ画面映像信号を作成するマルチ画面映像信号作成手段と、
前記マルチ画面映像信号の記録を指示すると共に、前記カメラが撮影した映像信号のうち各カメラに対応するセンサがそれぞれ検出した記録動機に対応する時間帯における第１の映像信号と前記旋回カメラが撮影した第２の映像信号の記録を指示する記録制御手段と、
この記録制御手段によって指示されたマルチ画面映像信号をディジタル化して第１の記録エリアに記録すると共に、前記第１、第２の映像信号をディジタル化して第２の記録エリアに記録するハードディスク記憶装置と、
前記第２の指示信号によって指示された時間帯の映像データに対し検索情報を付加する検索情報付加手段と、
このハードディスク記憶装置に記録された映像データを前記検索情報付加手段で付加された検索情報と関わり合わせて記録する映像記録装置と
を備えることを特徴とする映像記録システム。
【請求項１０】
前記記録制御手段は、
前記第１、第２の映像信号の記録時間帯を任意に設定する手段
を備えることを特徴とする請求項９に記載の映像記録システム。
【請求項１１】
前記検索情報付加手段は、
前記検索情報として前記記録制御手段の第２の指示信号によって指示された時間帯の映像データに対してタイトルを付加する
ことを特徴とする請求項９または１０に記載の映像記録システム。
【手続補正２】
【補正対象書類名】明細書
【補正対象項目名】０００８
【補正方法】変更
【補正の内容】
【０００８】
【課題を解決するための手段】
上記目的を達成するため、請求項１の発明は、カメラで撮影した映像を映像記録装置に記録する映像記録システムにおいて、前記カメラで撮影した映像信号の記録動機を検出するセンサと、前記カメラが撮影した映像信号の記録を指示する第１の指示信号とカメラが撮影した映像信号のうち前記センサが検出した記録動機に対応する時間帯における映像信号の記録を指示する第２の指示信号を出力する記録制御手段と、前記第１の指示信号にしたがって前記カメラが撮影した映像信号をディジタル化して記憶するハードディスク記憶装置と、前記第２の指示信号によって指示された時間帯の映像データに対し検索情報を付加する検索情報付加手段と、前記第２の指示信号にしたがって前記ハードディスク記憶装置に記憶された映像データのうち前記センサが検出した記録動機に対応する時間帯の映像データを前記検索情報付加手段で付加された検索情報と関わり合わせて記録する映像記録装置とを備えることを特徴とする。


【手続補正３】
【補正対象書類名】明細書
【補正対象項目名】００１０
【補正方法】変更
【補正の内容】
【００１０】
また、請求項３の発明は、請求項１または２の発明において、前記検索情報付加手段は、前記検索情報として前記記録制御手段の第２の指示信号によって指示された時間帯の映像データに対してタイトルを付加することを特徴とする。


【手続補正４】
【補正対象書類名】明細書
【補正対象項目名】００１２
【補正方法】変更
【補正の内容】
【００１２】
また、請求項５の発明は、カメラで撮影した映像を映像記録装置に記録する映像記録システムにおいて、それぞれ異なる記録動機を検出する複数のセンサと、前記カメラが撮影した映像信号の記録を指示する第１の指示信号と前記カメラが撮影した映像信号のうち前記複数のセンサがそれぞれ検出した記録動機に対応する時間帯の映像信号の記録を指示する第２の指示信号を出力する記録制御手段と、この記録制御手段の前記第１の指示信号に従い、指示された時間帯の映像信号をディジタル化して記憶するハードディスク記憶装置と、前記第２の指示信号によって指示された時間帯の映像データに対し検索情報を付加する検索情報付加手段と、このハードディスク記憶装置に記録された映像データのうち前記第２の指示信号で指示された時間帯の映像データを前記複数のセンサに割当てられた優先度に対応した映像記録装置に分配する分配手段と、前記分配手段で分配された映像データを前記検索情報付加手段で付加された検索情報と関わり合わせて記録する複数の映像記録装置とを備えることを特徴とする。


【手続補正５】
【補正対象書類名】明細書
【補正対象項目名】００１５
【補正方法】変更
【補正の内容】
【００１５】
また、請求項８の発明は、請求項５〜７のいずれかの発明において、前記検索情報付加手段は、前記検索情報として前記記録制御手段の第２の指示信号によって指示された時間帯の映像データに対してタイトルを付加することを特徴とする。


【手続補正６】
【補正対象書類名】明細書
【補正対象項目名】００１６
【補正方法】変更
【補正の内容】
【００１６】
また、請求項９の発明は、カメラで撮影した映像を映像記録装置に記録する映像記録システムにおいて、撮影範囲が一部重複または重複しない複数のカメラと、これら複数のカメラの撮影範囲を高速旋回して撮影する旋回カメラと、前記複数のカメラが撮影した映像信号の記録動機を検出する複数のセンサと、前記複数のカメラが撮影した映像信号からマルチ画面映像信号を作成するマルチ画面映像信号作成手段と、前記マルチ画面映像信号の記録を指示すると共に、前記カメラが撮影した映像信号のうち各カメラに対応するセンサがそれぞれ検出した記録動機に対応する時間帯における第１の映像信号と前記旋回カメラが撮影した第２の映像信号の記録を指示する記録制御手段と、この記録制御手段によって指示されたマルチ画面映像信号をディジタル化して第１の記録エリアに記録すると共に、前記第１、第２の映像信号をディジタル化して第２の記録エリアに記録するハードディスク記憶装置と、前記第２の指示信号によって指示された時間帯の映像データに対し検索情報を付加する検索情報付加手段と、このハードディスク記憶装置に記録された映像データを前記検索情報付加手段で付加された検索情報と関わり合わせて記録する映像記録装置とを備えることを特徴とする。


【手続補正７】
【補正対象書類名】明細書
【補正対象項目名】００１８
【補正方法】変更
【補正の内容】
【００１８】
また、請求項１１の発明は、請求項９または１０の発明において、前記検索情報付加手段は、前記検索情報として前記記録制御手段の第２の指示信号によって指示された時間帯の映像データに対してタイトルを付加することを特徴とする。